【手続補正書】
【提出日】平成19年9月26日(2007.9.26)
【手続補正１】
【補正対象書類名】明細書
【補正対象項目名】特許請求の範囲
【補正方法】変更
【補正の内容】
【特許請求の範囲】
【請求項１】  記録部に供給された記録媒体に対し、入力画像情報に基づいて記録動作を行う記録手段を備えた情報処理機器において、
前記記録部に供給される記録媒体の種類を判別する記録媒体判別手段と、
前記画像情報に基づいて形成すべき画像を判別する画像情報判別手段と、
前記画像情報判別手段と記録媒体判別手段の各々の判別結果に基づき、形成すべき画像と記録媒体の種類との適合状態を判定する判定手段と、
前記判定手段の判定結果に基づき記録に関する所定の動作制御を行う制御手段とを備えたことを特徴とする情報処理機器。
【請求項２】  記録部に供給された記録媒体に対し所定の入力画像情報に基づいて記録動作を行う記録手段を備えた処理機器本体と、この処理機器本体に対して着脱自在に設けられ前記記録媒体を前記記録部へと供給可能に収納する記録媒体収納容器と、前記入力画像情報を格納する画像情報格納手段と、を備えた情報処理機器において、
前記記録媒体収納容器に収納される記録媒体の種類を表す媒体情報を格納した媒体情報格納手段と、
前記記録媒体収納容器の処理機器本体への装着時に、前記媒体情報格納手段から前記媒体情報を読み出す媒体情報読み出し手段と、
前記媒体情報読み出し手段によって読み出された媒体情報に基づき記録媒体収納容器に収納された記録媒体の種類を判別する記録媒体判別手段と、
前記画像情報格納手段から読み出された前記画像情報によって形成すべき画像を判別する画像情報判別手段と、
前記画像情報判別手段と記録媒体判別手段の各々の判別結果に基づき、形成すべき画像と記録媒体の種類との適合状態を判定する判定手段と、
前記判定結果に基づき記録に関する所定の動作制御を行う制御手段とを備えたことを特徴とする情報処理機器。
【請求項３】  前記形成すべき画像は、テンプレート画像であることを特徴とする請求項１または２に記載の情報処理機器。
【請求項４】  入射する光学像を電気的画像信号に変換することにより入力画像情報を送出する撮像部を設けたことを特徴とする請求項１ないし３のいずれか１項に記載の情報処理機器。
【請求項５】  前記制御手段は、記録に関する所定の動作として所定の告知手段によって前記判定手段による判定結果を告知するようにしたことを特徴とする請求項１ないし４のいずれか１項に記載の情報処理機器。
【請求項６】  前記制御手段は、記録に関する所定の動作として前記記録手段による記録動作の駆動／停止を制御するようにしたことを特徴とする請求項１ないし４のいずれか１項に記載の情報処理機器。
【請求項７】  前記制御手段は、判定手段の判定結果に応じて、所定の告知手段による告知と、前記記録手段による記録動作の駆動／停止とを切り換えることを特徴とする請求項１ないし４のいずれか１項に記載の情報処理機器。
【請求項８】  前記記録媒体判別手段は、記録媒体の種類として、記録媒体の寸法形状を判別し、
前記画像情報判別手段は、形成すべき画像の寸法形状を判別し、
前記判定手段は、記録媒体の寸法形状が形成すべき画像の寸法形状に適合しているか否かを判定することを特徴とする請求項１ないし７のいずれか１項に記載の情報処理機器。
【請求項９】  前記記録媒体判別手段は、記録媒体の種類として、記録媒体の規格サイズを判別することを特徴とする請求項８に記載の情報処理機器。
【請求項１０】  前記記録媒体判別手段は、記録媒体の種類として、記録媒体の縦横比を判別することを特徴とする請求項８に記載の情報処理機器。
【請求項１１】  前記記録媒体判別手段は、記録媒体の種類として、記録媒体の材質を判別し、
前記画像情報判別手段は、画像品質を判断し、前記判定手段は、形成すべき画像の画像品質に対して、記録媒体の材質が適合するか否かを判定することを特徴とする請求項１ないし７のいずれか１項に記載の情報処理機器。
【請求項１２】  前記判定手段は、前記画像情報判別手段と記録媒体判別手段の各々の判別結果に基づき、形成すべき画像と記録媒体の種類との適合の程度を判定し、
前記制御手段は、形成すべき画像と記録媒体の種類との適合の程度に基づき、段階的に前記告知手段による告知内容を変更することを特徴とする請求項１１に記載の情報処理機器。
【請求項１３】  前記判定手段は、前記画像情報判別手段と記録媒体判別手段の各判別結果に基づき、形成すべき画像と記録媒体の種類との不適合の程度を、記録結果にもたらす影響の程度として判定する判定手段と、を備え、
前記制御手段は、前記不適合が記録結果にもたらす影響の程度に応じて前記告知手段による警告内容の重要度を段階的に切り換えることを特徴とする請求項１２に記載の情報処理機器。
【請求項１４】  記録部に供給された記録媒体に対し、入力画像情報に基づいて記録動作を行う記録手段を備えた情報処理機器の画像記録制御方法において、
前記記録部に供給される記録媒体の種類を判別する記録媒体判別ステップと、前記画像情報に基づいて形成すべき画像を判別する画像情報判別ステップと、
前記画像情報判別ステップと記録媒体判別ステップの各々の判別結果に基づき、形成すべき画像と記録媒体の種類との適合状態を判定する判定ステップと、
前記判定ステップにおける判定結果に基づき記録に関する所定の動作制御を行う制御ステップとを備えたことを特徴とする情報処理機器の画像記録制御方法。
【請求項１５】  記録部に供給された記録媒体に対し所定の入力画像情報に基づいて記録動作を行う記録手段を備えた処理機器本体と、この処理機器本体に対して着脱自在に設けられ前記記録媒体を前記記録部へと供給可能に収納する記録媒体収納容器と、前記入力画像情報を格納する画像情報格納手段と、を備えた情報処理機器の画像記録制御方法において、
前記記録媒体収納容器の処理機器本体への装着時に、前記記録媒体収納容器に収納されている媒体の種類を表す媒体情報を所定の媒体情報格納手段から読み出す媒体情報読み出しステップと、
前記媒体情報格納手段から読み出された前記媒体情報に基づき記録媒体収納容器に収納された記録媒体の種類を判別する記録媒体判別ステップと、
前記画像情報格納手段から読み出された前記画像情報によって、形成すべき画像を判別する画像情報判別ステップと、
前記画像情報判別ステップと記録媒体判別ステップの各々の判別結果に基づき、形成すべき画像と記録媒体の種類との適合状態を判定する判定ステップと、
前記判定結果に基づき記録に関する所定の動作を実行させる制御ステップとを備えたことを特徴とする情報処理機器の画像記録制御方法。
【請求項１６】  前記制御ステップは、記録に関する所定の動作として所定の告知手段によって前記判定手段による判定結果を告知することを特徴とする請求項１４または１５に記載の情報処理機器の画像記録制御方法。
【請求項１７】  前記形成すべき画像は、テンプレート画像であることを特徴とする請求項１４ないし１６のいずれか１項に記載の情報処理機器の画像記録制御方法。
【請求項１８】  前記制御ステップは、記録に関する所定の動作として記録手段による記録動作の駆動／停止を制御することを特徴とする請求項１４ないし１７のいずれか１項に記載の情報処理機器の画像記録制御方法。
【請求項１９】  前記制御ステップは、判定ステップの判定結果に応じて、告知と、記録動作の駆動／停止とを切り換えることを特徴とする請求項１４ないし１７のいずれか１項に記載の情報処理機器の画像記録制御方法。
【請求項２０】  前記記録媒体判別ステップは、記録媒体の種類として、記録媒体の寸法形状を判別し、
前記画像情報判別ステップは、形成すべき画像の寸法形状を判別し、
前記判定ステップは、記録媒体の寸法形状が形成すべき画像の寸法形状に適合しているか否かを判定することを特徴とする請求項１４ないし１９のいずれか１項に記載の情報処理機器の画像記録制御方法。
【請求項２１】  前記記録媒体判別ステップは、記録媒体の種類として、記録媒体の規格サイズを判別することを特徴とする請求項２０に記載の情報処理機器の画像記録制御方法。
【請求項２２】  前記記録媒体判別ステップは、記録媒体の種類として、記録媒体の縦横比を判別することを特徴とする請求項２０に記載の情報処理機器の画像記録制御方法。
【請求項２３】  前記記録媒体判別ステップは、記録媒体の種類として、記録媒体の材質を判別し、
前記画像情報判別ステップは、形成すべき画像の画像品質を判断し、
前記判定ステップは、形成すべき画像の画像品質に対して、記録媒体の材質が適合するか否かを判定することを特徴とする請求項１４ないし１９のいずれか１項に記載の情報処理機器の画像記録制御方法。
【請求項２４】  前記判定ステップは、前記画像情報判別ステップと記録媒体判別ステップとにおける各判別結果に基づき、形成すべき画像と記録媒体の種類との適合の程度を判定し、
前記制御ステップは、形成すべき画像と記録媒体の種類との適合の程度に基づき、段階的に前記告知手段による告知内容を変更することを特徴とする請求項１６に記載の情報処理機器の画像記録制御方法。
【請求項２５】  前記判定ステップは、前記画像情報判別ステップと記録媒体判別ステップとにおける各判別結果に基づき、形成すべき画像と記録媒体の種類との不適合の程度を、記録結果にもたらす影響の程度として判定する判定ステップを備え、
前記制御ステップは、前記不適合が記録結果にもたらす影響の程度に応じて前記告知手段による警告内容の重要度を段階的に切り換えることを特徴とする請求項１６に記載の情報処理機器の画像記録制御方法。
【手続補正２】
【補正対象書類名】明細書
【補正対象項目名】０００６
【補正方法】変更
【補正の内容】
【０００６】
【課題を解決するための手段】
上記課題を解決するため、本願発明は、次のような構成を有するものとなっている。
すなわち、本願の第１の発明は、記録部に供給された記録媒体に対し、入力画像情報に基づいて記録動作を行う記録手段を備えた情報処理機器において、前記記録部に供給される記録媒体の種類を判別する記録媒体判別手段と、前記画像情報に基づいて形成すべき画像を判別する画像情報判別手段と、前記画像情報判別手段と記録媒体判別手段の各々の判別結果に基づき、形成すべき画像と記録媒体の種類との適合状態を判定する判定手段と、
前記判定手段の判定結果に基づき記録に関する所定の動作制御を行う制御手段とを備えたことを特徴とするものである。
【手続補正３】
【補正対象書類名】明細書
【補正対象項目名】０００７
【補正方法】変更
【補正の内容】
【０００７】
また、本願の第２の発明は、記録部に供給された記録媒体に対し所定の入力画像情報に基づいて記録動作を行う記録手段を備えた処理機器本体と、この処理機器本体に対して着脱自在に設けられ前記記録媒体を前記記録部へと供給可能に収納する記録媒体収納容器と、前記入力画像情報を格納する画像情報格納手段と、を備えた情報処理機器において、前記記録媒体収納容器に収納される記録媒体の種類を表す媒体情報を格納した媒体情報格納手段と、前記記録媒体収納容器の処理機器本体への装着時に、前記媒体情報格納手段から前記媒体情報を読み出す媒体情報読み出し手段と、前記媒体情報読み出し手段によって読み出された媒体情報に基づき記録媒体収納容器に収納された記録媒体の種類を判別する記録媒体判別手段と、前記画像情報格納手段から読み出された前記画像情報によって形成すべき画像を判別する画像情報判別手段と、前記画像情報判別手段と記録媒体判別手段の各々の判別結果に基づき、形成すべき画像と記録媒体の種類との適合状態を判定する判定手段と、前記判定結果に基づき記録に関する所定の動作制御を行う制御手段とを備えたことを特徴とするものである。
【手続補正４】
【補正対象書類名】明細書
【補正対象項目名】０００８
【補正方法】変更
【補正の内容】
【０００８】
また、本願の第３の発明は、記録部に供給された記録媒体に対し、入力画像情報に基づいて記録動作を行う記録手段を備えた情報処理機器の画像記録制御方法において、前記記録部に供給される記録媒体の種類を判別する記録媒体判別ステップと、前記画像情報に基づいて形成すべき画像を判別する画像情報判別ステップと、前記画像情報判別ステップと記録媒体判別ステップの各々の判別結果に基づき、形成すべき画像と記録媒体の種類との適合状態を判定する判定ステップと、前記判定ステップにおける判定結果に基づき記録に関する所定の動作制御を行う制御ステップとを備えたことを特徴とする情報処理機器の画像記録制御方法である。
【手続補正５】
【補正対象書類名】明細書
【補正対象項目名】０００９
【補正方法】変更
【補正の内容】
【０００９】
また、本願の第４の発明は、記録部に供給された記録媒体に対し所定の入力画像情報に基づいて記録動作を行う記録手段を備えた処理機器本体と、この処理機器本体に対して着脱自在に設けられ前記記録媒体を前記記録部へと供給可能に収納する記録媒体収納容器と、前記入力画像情報を格納する画像情報格納手段と、を備えた情報処理機器の画像記録制御方法において、前記記録媒体収納容器の処理機器本体への装着時に、前記記録媒体収納容器に収納されている媒体の種類を表す媒体情報を所定の媒体情報格納手段から読み出す媒体情報読み出しステップと、前記媒体情報格納手段から読み出された前記媒体情報に基づき記録媒体収納容器に収納された記録媒体の種類を判別する記録媒体判別ステップと、前記画像情報格納手段から読み出された前記画像情報によって、形成すべき画像を判別する画像情報判別ステップと、前記画像情報判別ステップと記録媒体判別ステップの各々の判別結果に基づき、形成すべき画像と記録媒体の種類との適合状態を判定する判定ステップと、前記判定結果に基づき記録に関する所定の動作を実行させる制御ステップとを備えたことを特徴とする情報処理機器の画像記録制御方法である。
【手続補正６】
【補正対象書類名】明細書
【補正対象項目名】００１０
【補正方法】削除
【補正の内容】